(57)【特許請求の範囲】
【請求項１】
内箱と内箱の蓋を成す外箱からなる帳票収納ケースであって、
前記内箱の向かい合う側面は内箱の底部でのみ連接され、前記外箱の向かい合う側面は、継ぎ代で固定され、
前記内箱には、相対する何れかの側面と略同一の形状を有し吸水性を有する複数の薄板が前記側面と平行に収納され、
前記薄板の間に帳票が挿入されて使用されることを特徴とする帳票収納ケース。
【請求項２】
前記複数の薄板は独立した薄板で、前記薄板の前記内箱の底部に接する１辺は接着シートで固定され、前記内箱の側面に接する薄板の少なくとも一方の面が前記内箱の側面に固定されたことを特徴とする請求項１に記載の帳票収納ケース。
【請求項３】
前記複数の薄板は、折部でジグザグ状に折畳まれた状態で連接され、前記内箱の側面に接する薄板の少なくとも一方の面が前記内箱の側面に固定されたことを特徴とする請求項１に記載の帳票収納ケース。
【発明の詳細な説明】
【技術分野】
【０００１】
本発明は、帳票収納部を備えた帳票収納ケースに関する。
【背景技術】
【０００２】
近年、会社や、自宅に食料品や、書籍などの小荷物を直接配達してくれる宅配システムが日常的に行われている。この宅配システムでは、配達担当者が車に荷物を載せて、配送伝票などに記載された届け先を確認し、納品する。そして、荷物を届け先に納品すると受取人の印鑑が捺印された納品控伝票を持ち帰る。持ちかえった納品控伝票は、保存され、荷送り人からの問い合わせなどに利用される。
【０００３】
納品控伝票そのものを保管すると嵩張ることと、問い合わせがあった際に、納品控伝票を探すために、時間と人手を要することから、最近では、スキャナ等で納品控に記載された必要部分をコピーして画像としてファイルし、保存する方法が採用されている。  このファイリングシステムでは、担当が、前述の納品控伝票をまとめてスキャナに読み取らせて保存する。
【０００４】
使用されるスキャナは、伝票をまとめてフィードするためのフィーダー部、記載内容を読み取るための撮像部、読み終わった伝票をスタックするための排紙部で構成される。そのために、伝票が折れ曲がっていたり、皺になっていたり、ぬれていたり、湿っていたりするとフィーダー部で詰まってしまい、係員がその都度対応しなければならず、また伝票がそのために破損すると記載内容の読取りが不可能になってしまう。そのために、配達担当者は伝票を濡らさないように気を付けるのであるが、雨の日に、傘をさすことができない場合や、クール便のように高温多湿の状態で持ち込まれた荷物が低温環境に収納された場合に、荷物表面は瞬間的に結露し、貼付されている配送伝票は必然的に濡れてしまう場合があって、良好な解決策は未だ見出されていない。
【発明の開示】
【発明が解決しようとする課題】
【０００５】
そこで、吸水性を有する複数の薄板を収納ケースに内包させ、薄板の間に濡れた帳票を挟んで乾燥させる好適な帳票収納ケースを提供する。
【課題を解決するための手段】
【０００６】
前記課題の目的を達成するために、本発明の帳票収納ケースの請求項１に記載の発明は、内箱と内箱の蓋を成す外箱からなる帳票収納ケースであって、前記内箱の向かい合う側面は内箱の底部でのみ連接され、前記外箱の向かい合う側面は、継ぎ代で固定され、
前記内箱には、相対する何れかの側面と略同一の形状を有し吸水性を有する複数の薄板が前記側面と平行に収納され、前記薄板の間に帳票が挿入されて使用されることを特徴とするものである。
【０００７】
また、請求項２に記載の発明は、請求項１に記載の発明において、前記複数の薄板は独立した薄板で、前記薄板の前記内箱の底部に接する１辺は接着シートで固定され、前記内箱の側面に接する薄板の少なくとも一方の面が前記内箱の側面に固定されたことを特徴とするものである。
【０００８】
また、請求項３に記載の発明は、請求項１に記載の発明において、前記複数の薄板は、折部でジグザグ状に折畳まれた状態で連接され、前記内箱の側面に接する薄板の少なくとも一方の面が前記内箱の側面に固定されたことを特徴とするものである。
【発明の効果】
【００１１】
請求項１に記載のように、内箱と内箱の蓋を成す外箱からなる帳票収納ケースであって、前記内箱の向かい合う側面は内箱の底部でのみ連接され、前記外箱の向かい合う側面は、継ぎ代で固定され、前記内箱には、相対する何れかの側面と略同一の形状を有し吸水性を有する複数の薄板が前記側面と平行に収納され、前記薄板の間に帳票が挿入されて使用されることによって、内側に収納された複数の薄板に帳票が収納されていない時は外にはみ出すことが無く、保管時に邪魔にならない。また、濡れた帳票が収納されている時は薄板の両サイドから加圧され高効率に乾燥が進行する。また、内箱に収納された薄板は、内箱の各側面が底部以外はフリーなため、収納された帳票を効率良く取り出すことができる。
【００１２】
また、請求項２に記載の発明のように、請求項1に記載の発明において、前記複数の薄板は独立した薄板で、前記薄板の前記内箱の底部に接する１辺は接着シートで固定され、前記内箱の側面に接する薄板の少なくとも一方の面が前記内箱の側面に固定されたことによって、容易に薄板を内箱に収納することができ、また、内箱から引き出すことができる。
【００１３】
また、請求項３に記載の発明のように、請求項1に記載の発明において、前記複数の薄板は、折部でジグザグ状に折畳まれた状態で連接され、前記内箱の側面に接する薄板の少なくとも一方の面が前記内箱の側面に固定されたことによって、内箱に収納された薄板は、内箱の各側面が底部以外はフリーなため、外箱が除去された瞬間に扇状に押し出すことができる。
【発明を実施するための最良の形態】
【００１６】
以下、図面を参照して本発明の帳票収納ケースについて説明する。図１は、本発明の帳票収納ケースの一実施形態について説明するための模式図、図２は、収納ケースの外箱である蓋の一実施形態の展開図、図３は、収納ケースの内箱の一実施形態の展開図、図４は、側面の一方を固定するために固定板を備えた内箱の一実施形態の展開図、図５は、図４の内箱に薄板を固定して一方向に開いた状態について説明するための模式図、図６は、複数の独立した薄板のそれぞれ1辺が接着シートで固定され、最外部の薄板の一方が内箱の側面に固定された状態について説明するための側面図、図７は、図６の状態の内箱の側面を傾けた場合について説明するための側面図、図８は、薄板がジグザグ状に折り畳まれた形状の収納部の場合について説明するための側面図、図９は、図８の内箱の側面に接する薄板（以下、始端面，終端面，最外部の薄板ともいう。）が内箱の側面に固定された状態について説明するための側面図、である。
【００１７】
図１を参照して本発明の帳票収納ケースの一実施形態について説明する。  図1のａ図は、薄板が収納された帳票収納ケース１である。  ａ図に示す帳票収納ケースは、規格（ＪＩＳ規格）で定めるテレスコープ型のツーピースで構成される箱である。
【００１８】
矢印の下、ｂ図は、帳票収納ケース１の外箱（蓋）１１が開けられ、内箱１２の側壁が開いて、帳票収納部１３が剥き出しになった状態を示している。  内箱１２の４つの側壁（側面板）は内箱の底板（帳票収納部の下部）に連接しているが、側壁同士は繋がっていないために、外箱が開けられると、中に収納された帳票収納部に押し倒される状態で開く。収納された帳票収納部は、帳票収納部を構成する薄板同士が固定、または連接されており、更に薄板の一部が内箱に固定されているために、ばらばらに分解することはない。図示していないが、帳票収納部に挟まれて収納された帳票は、外にはじき出されるか、外から取り出し易い状態になる。
【００１９】
図２を参照して、帳票収納ケースの外箱（蓋）の一実施形態について説明する。  帳票収納ケースの外箱（蓋）１１は、外箱の屋根に相当する長方形の板の各辺に側壁を形成する長方形の板が1辺を共有して連接されている。  本実施の形態の場合は、長辺側の側壁１１２と、短辺側の側壁１１３を折り曲げた際に、隣り合った側壁同士を固定するための継ぎしろ（接合フラップ）１１１が短辺側の側壁１１３の両サイドに連接されている。  この継ぎしろ１１１と隣り合う側壁１１２を接着剤、または金具などで固定して蓋とする。  本実施の形態では、蓋１１の側壁は、内箱の高さに比較して短くなっているが、帳票収納ケースの強度とのバランスで長さを調整する。
【００２０】
図３を参照して、収納ケースの内箱の一実施形態について説明する。  帳票収納ケースの内箱１２は、内箱の底に相当する長方形の板の各辺に側壁である長方形の板１２２、１２３が1辺を共有して連接されている。  本実施の形態の場合は、側壁に図２で示したような継ぎしろ（接合フラップ）が形成されていない。  本実施の形態では帳票収納部を収納する際に収納し易いように継ぎしろを形成していないが、内箱の各側壁がフリーな状態になるのであれば、これに拘るものではない。  内箱の側壁１２２、１２３の長さ（深さ）は、内側に収納する帳票収納部の高さに合わせて調整する。
【００２１】
図４、図５を参照して、側壁を固定する固定具を備えた内箱の一実施形態について説明する。  図４に示した例は、内箱の短辺側壁に沿って固定板１２４を取り付けた例である。  固定板は、図５に示すように帳票収納部１３が開く方向と無関係な側面方向の側壁１２１を開かずに固定するために形成する。その結果、蓋を外した際に側壁１２２が、帳票収納部１３に押されて黒矢印の方向に倒れ、挟まれている帳票が取り出し易くなる。また、側壁１２１を底板の面に対して直角に固定することによって、帳票収納部を帳票収納ケースに納め、蓋をする際に手間を省くことができる。固定板１２４は、金属の薄板でも、プラスチックの成形品でも、側壁１２１に接着剤または固定具で９０度に固定されていればよい。
【００２２】
図６、図７を参照して、複数の独立した薄板のそれぞれ1辺が接着シートで固定され、最外部の薄板の一方が内箱の側面に固定された状態について説明する。  帳票収納部１３は、厚みを有する独立した長方形の薄板が所定の間隔で並べられ、底部の接着シート１６で固定され、端部の薄板が内箱の側壁１２３に接着剤１４（または、粘着剤）で固定されている。本実施の形態では、底部の接着シート１６は、内箱の側壁、または底部に固定されていない。これは、図７に示すように、帳票収納部１３の端部が接着（１４）された内箱の側壁１２３が傾けられた際に、帳票収納部１３が、湾曲して帳票収納部１３に挟まれている帳票２を取り出し易いようにするためである。図で判るように、帳票収納部１３を構成する薄板が薄すぎると、収納部の各ファイル部分が変形して不規則状態で湾曲し、また、接着剤１４部分でその部分の薄板だけが湾曲し、帳票収納部１３全体が、湾曲してくれない。そのために薄板は、材質に応じて適度な剛直性を付与させたり、厚くしなければならない。
【００２３】
図８を参照して、薄板がジグザグ状に折り畳まれた形状の収納部の場合について説明する。長尺の材料（以下薄板基材という。）シートに折り目を形成し、図に示す折り目１５１、１５２部分で図に示すようにジグザグ状に折って、アコーデオン状の帳票収納部１５を作製する。折り部は、例えばミシン刃や、押し型によって一定間隔で薄板基材に山用の切れ目、または押し筋を形成し、山用の切れ目、または筋１５１の中間部分に、谷用の切れ目、または筋１５２を形成する。  薄型基材の厚さが厚い場合は、押し筋、またはハーフカットによって山用と、谷用の押し筋、またはハーフカットを基材の別々の面から形成する。  このように折り部が形成された薄板基材は、折り部形成と同一ライン上で山、谷方向に折り込まれ、ジグザグ状に仕上げる。  図で判るように、ジグザグ状に折り畳まれた一方の側の隙間には、乾燥を必要とする帳票２が挟み込まれる。帳票は、濡れていて隙間に入り難いために隙間は、その間隔を自由に広げることができるようになっている。
【００２４】
図９を参照して、図８の薄板の始端面が内箱の側面に固定された状態について説明する。  図に示すように、内箱の側壁１２３が傾けられた際に、側壁に接着された帳票収納部１５の端部が側壁１２３に引っ張られて湾曲し、帳票収納部１５に挟まれている帳票２を取り出し易いようにする。図で判るように、図８で説明した、独立した薄板による帳票収納部と異なり、ジグザグ折り構成の場合は、構成する薄板が薄くても、収納部の各ファイル部分が収納部１５の強度を補ってくれる。また、ジグザグ折り構成の一方しか固定されていないために、帳票収納部の掃除、乾燥が容易で繰り返し使用する場合に便利である。
【産業上の利用可能性】
【００２５】
本発明の帳票収納ケースは、単なる帳票のケース以外に、濡れた帳票の乾燥箱として利用することができる。
【図面の簡単な説明】
【００２６】
【図１】本発明の帳票収納ケースの一実施形態について説明するための模式図である。
【図２】収納ケースの外箱である蓋の一実施形態の展開図である。
【図３】収納ケースの内箱の一実施形態の展開図である。
【図４】側面の一方を固定するために固定具を備えた内箱の一実施形態の展開図である。
【図５】図４の内箱に薄板を固定して一方向に開いた状態について説明するための模式図である。
【図６】複数の独立した薄板のそれぞれ1辺が接着シートで固定され、最外部の薄板の一方が内箱の側面に固定された状態について説明するための側面図である。
【図７】図６の状態の内箱の側面を傾けた場合について説明するための側面図である。
【図８】薄板がジグザグ状に折り畳まれた形状の収納部の場合について説明するための側面図である。
【図９】図８の薄板の始端面が内箱の側面に固定された状態について説明するための側面図である。
【符号の説明】
【００２７】
１      帳票収納ケース
２      帳票（または吸水シートに挟まれた帳票）
１１    蓋（外箱）
１２    内箱
１３，１５  帳票収納部
１４，１７  接着剤
１６    接着シート
１１１  外箱の継ぎしろ
１１２  外箱の長辺側壁
１１３  外箱の短辺側壁
１２２  内箱の長辺側壁
１２３  内箱の短辺側壁
１２４  固定板
１５１  山部
１５２  谷部
【図１】
0004334970.tif 000002
【図２】
0004334970.tif 000003
【図３】
0004334970.tif 000004
【図４】
0004334970.tif 000005
【図５】
0004334970.tif 000006
【図６】
0004334970.tif 000007
【図７】
0004334970.tif 000008
【図８】
0004334970.tif 000009
【図９】
0004334970.tif 000010